(57)【要約】【課題】主に、繰返し使用による耐力や安定性を向上し得るようにする。【解決手段】樹脂部品２１から一体に突設された爪部２２を、相手部品２３に設けられた係止穴２４へ挿入して係止固定させる樹脂部品係止構造に関する。樹脂部品２１における、爪部２２の背面側に、爪部２２から離して、爪部２２の挿入方向４１へ延びる位置規制用突出部４２を設ける。係止穴２４の位置規制用突出部４２側の縁部に、位置規制用突出部４２を受ける突出壁部４３を設ける。そして、位置規制用突出部４２の基部側の部分が、係止穴２４の位置規制用突出部４２側の縁部に当接すると共に、位置規制用突出部４２の先端部が、突出壁部４３に当接するように構成する。【選択図】図１
2014125093.tif 000002
【特許請求の範囲】
【請求項１】
樹脂部品から一体に突設された爪部を、相手部品に設けられた係止穴へ挿入して係止固定させる樹脂部品係止構造において、
前記樹脂部品における、前記爪部の背面側に、前記爪部から離して、前記爪部の挿入方向へ延びる位置規制用突出部を設け、
前記係止穴の前記位置規制用突出部側の縁部に、前記位置規制用突出部を受ける突出壁部を設け、
前記位置規制用突出部の基部側の部分が、前記係止穴の位置規制用突出部側の縁部に当接すると共に、
前記位置規制用突出部の先端部が、前記突出壁部に当接するよう構成したことを特徴とする樹脂部品係止構造。
【請求項２】
前記係止穴の近傍に、この係止穴に係止された前記爪部の背面を支持固定可能な係止時爪支持部を設置し、
この係止時爪支持部を、前記突出壁部の先端側に設けたことを特徴とする請求項１に記載の樹脂部品係止構造。
【発明の詳細な説明】
【技術分野】
【０００１】
この発明は、樹脂爪構造に関するものである。
【背景技術】
【０００２】
自動車などの車両には、車室内や車室外に、多数の樹脂部品が用いられている。このような樹脂部品を、車体や他の部品など（以下、相手部品という）に対して取付けるための構造には、大きく分けて、スクリュー固定と、爪固定との２つが存在している。
【０００３】
このうち、爪固定は、更に、樹脂部品とは別体の金属クリップや樹脂クリップなどの別体部品を用いた別体爪構造のものと、樹脂部品と同じ材質で樹脂部品に一体に形成された一体爪構造のもの（例えば、特許文献１参照）とに分けることができる。
【０００４】
このうち、上記した別体爪構造のものは、弾性変形能力の高い金属クリップや柔軟な樹脂クリップなどの別体部品を用いているため、繰返し使用に対する耐力や安定性が高いという特徴がある。
【０００５】
一方、上記した一体爪構造のものは、樹脂部品と同じ材料（例えば、硬質樹脂など）によって構成されているため、高い係止力を得るのが容易であるという特徴がある。また、一体爪構造のものは、樹脂部品に対して一体に形成されているため、別体爪構造のように金属クリップや樹脂クリップなどの別体部品を用いる必要がないので、別体爪構造のものと比べて、部品コストがかからず、また、別体部品を樹脂部品に組付けるための手間がかからないなどの特徴がある。
【０００６】
そして、これらの各構造には、一長一短があるため、用途に応じてそれぞれ使い分けられている。
【０００７】
図６、図７は、上記した一体爪構造（一体型の樹脂爪構造）を示すものである。この樹脂爪構造は、樹脂部品１に対し、相手部品に設けられた係止穴へ挿入可能な挿入部４と、この挿入部４の一側面から面外方向へ向け突設されて係止穴の一方の縁部に係止可能な係止部５とを一体に有するものとされる。
【０００８】
上記した挿入部４には、Ｕ字状のスリット部６が形成されることによって、スリット部６の内側に片持梁７が設けられる。そして、上記した係止部５は、この片持梁７に対して設けられている。この片持梁７は、挿入部４の先端側に対して連続されると共に、挿入部４の基部側がフリーなものとされている。
【０００９】
そして、挿入部４の他側面（背面）には、その両側部に沿って一対のリブ１１が一体に形成されている。このリブ１１には、係止穴の他方の縁部に対して当接可能な背面側受部１２と、相手部品を挿入方向１３に受ける挿入方向受部１４とが形成されている。
【００１０】
なお、上記した係止部５は、挿入部４の面直方向１５へ移動するスライド型を用いて成形される。
【先行技術文献】
【特許文献】
【００１１】
【特許文献１】特開２００９−９６２９５号公報
【発明の概要】
【発明が解決しようとする課題】
【００１２】
しかしながら、上記した一体型の樹脂爪構造（一体爪構造）には、以下のような問題があった。
【００１３】
即ち、上記した一体型の樹脂爪構造は、硬質樹脂などによって構成されているため、比較的容易に高い係止力を得ることができる反面、弾性変形能力が比較的低く、相手部品に対して係止させる際や係止中などに、弾性変形能力を越えるような大きな変形が与えられるなどによって塑性変形が生じると、係止力が一気に低下してしまい、繰返し使用が難しくなるなどの問題を有していた。
【課題を解決するための手段】
【００１４】
上記課題を解決するために、請求項１に記載された発明は、樹脂部品から一体に突設された爪部を、相手部品に設けられた係止穴へ挿入して係止固定させる樹脂部品係止構造において、前記樹脂部品における、前記爪部の背面側に、爪部から離して、爪部の挿入方向へ延びる位置規制用突出部を設け、前記係止穴の前記位置規制用突出部側の縁部に、前記位置規制用突出部を受ける突出壁部を設け、前記位置規制用突出部の基部側の部分が、前記係止穴の位置規制用突出部側の縁部に当接すると共に、前記位置規制用突出部の先端部が、前記突出壁部に当接するよう構成したことを特徴とする。
請求項２に記載された発明は、前記係止穴の近傍に、該係止穴に係止された前記爪部の背面を支持固定可能な係止時爪支持部を設置し、該係止時爪支持部を、前記突出壁部の先端側に設けたことを特徴とする。
【発明の効果】
【００１５】
請求項１に記載された発明によれば、上記構成によって、以下のような作用効果を得ることができる。即ち、樹脂部品に一体に形成された爪部を相手部品に設けられた係止穴へ挿入することにより、樹脂部品を相手部品に対して係止保持させることができる。
この際、樹脂部品における、爪部の背面側に爪部から離して設けられた、爪部の挿入方向へ延びる位置規制用突出部によって、爪部を位置規制することができる。
また、係止穴の位置規制用突出部側の縁部に突出壁部を設けることにより、上記した位置規制用突出部を、突出壁部を介して相手部品に受けさせることができる。
爪部が係止穴（の一方の縁部）に係止され、位置規制用突出部の基部側の部分が、係止穴（の他方の縁部）に当接され、位置規制用突出部の先端部が、突出壁部に当接されることにより、爪部は、３点支持状態となるので、樹脂部品のガタ付きを少なくすることができる。
請求項２に記載された発明によれば、上記構成によって、以下のような作用効果を得ることができる。即ち、係止穴の近傍に設置した係止時爪支持部によって、爪部の背面を支持させることにより、係止穴に係止された爪部を動かないようにロックすることができる。これによって、爪部を小さくしても大きな係止力を得ることが可能となる。
また、係止時爪支持部が爪部を動かないようにロックすることで、係止時や係止後における爪部の変形が抑えられるようになるので、その分、爪部が塑性変形を起こし難くなり、爪部の塑性変形による係止力の低下を防止して、繰返し使用による耐力や安定性を向上することができる。しかも、係止時爪支持部が爪部に作用する応力を緩和するので、爪部を破損し難くすることができる。
更に、上記したように爪部を小さくすると、係止穴に係止する際の爪部の変形量も小さくなるので、爪部を、より塑性変形し難くすることができる。
以上により、一体爪構造（一体型の樹脂爪構造）であっても、繰返し使用に対する耐力や安定性をこれまでよりも格段に向上しつつ、これまでと同様か、または、それ以上の高い係止力を得ることができるようになり、上記した繰返し使用に対する安定性と係止力とを高度に両立することが可能となる。更に、爪部の小型化や薄型化までも得ることができる。
そして、突出壁部の先端側に係止時爪支持部を設けることにより、爪部の（フリーとなっている）先端側の背面を相手部品によって支持固定させて、爪部を確実にロックすることが可能となる。また、係止時爪支持部を突出壁部の先端側に設けることにより、位置規制などのために設けられた突出壁部を利用して係止時爪支持部を設置することができる。
【図面の簡単な説明】
【００１６】
【図１】本発明の実施例にかかる樹脂部品係止構造を側方からみた縦断面図である。
【図２】図１の樹脂部品係止構造の全体斜視図である。
【図３】図２の縦断面図である。
【図４】図１の樹脂部品係止構造の挿入初期状態を示す作動図である。
【図５】図４に続く作動図である。
【図６】従来例にかかる樹脂部品係止構造を表面側から見た斜視図である。
【図７】図６を背面側から斜視図である。
【発明を実施するための形態】
【００１７】
以下、本実施の形態を具体化した実施例を、図面を用いて詳細に説明する。
図１〜図５は、この実施例およびその変形例を示すものである。
【実施例１】
【００１８】
＜構成＞以下、構成について説明する。
この実施例にかかる樹脂部品係止構造は、樹脂部品２１から一体に突設された爪部２２（一体爪）を、相手部品２３に設けられた係止穴２４へ挿入して係止固定させるようにしたものである。
【００１９】
（補足説明）
上記した樹脂爪構造は、自動車などの車両の場合、車室内や車室外に設けられる各種の樹脂部品に対して設けられる。例えば、車室内の前部に設けられるインストルメントパネルや、このインストルメントパネルに取付けられる各種のサブパネルや、車室内に設置されるセンターコンソールや、このセンターコンソールに取付けられる各種のサブパネルなどに設けられる。
【００２０】
なお、樹脂部品２１および相手部品２３は、上記したものや、図示したような形状のものに限るものではない。
【００２１】
そして、以上のような基本構成に対し、この実施例のものでは、以下のような構成を備えるようにしている。
【００２２】
（構成１）
図１に示すように、上記樹脂部品２１における、上記爪部２２の背面側（図中右側）に、上記爪部２２から離して、上記爪部２２の挿入方向４１へ延びる位置規制用突出部４２を設ける。
また、上記係止穴２４の上記位置規制用突出部４２側の縁部（図中右側の縁部、または、他方の縁部）に、上記位置規制用突出部４２を受ける突出壁部４３を設ける。
そして、上記位置規制用突出部４２の基部側の部分が、上記係止穴２４の他方の縁部（位置規制用突出部４２側の縁部）に当接するように構成される。
また、上記位置規制用突出部４２の先端部が、上記突出壁部４３に当接するように構成される。
【００２３】
（補足説明１）
ここで、上記した「爪部２２」は、基部（付根部）側が樹脂部品２１と連続されて、先端側がフリーとなる片持梁とされる。これにより、爪部２２の梁長さを爪部２２の全長と等しくすることができる。この爪部２２は、係止穴２４へ挿入可能な舌片状の挿入部３２と、この挿入部３２の表面側に面外方向へ向けて突設された係止部３３とを有するものとされる。この係止部３３は、係止穴２４の奥面（図中下面）側の一方の縁部（図中左側の縁部）に係止可能な係止面３４と、係止部３３の係止穴２４への導入を案内する導入テーパ部３５とを有するものとされる。係止面３４は爪部２２の基部側に形成され、導入テーパ部３５は爪部２２の先端側に形成される。係止面３４は、所要の傾斜角度を有するものとされている。
【００２４】
この爪部２２の両側部には、図２、図３に示すように、若干の隙間３６（スリット部または切込部）を有して、一対の爪保護部３７が設けられる。この爪保護部３７は、樹脂部品２１から一体に突設されると共に、爪部２２とは分離したものとされる。一対の爪保護部３７の外側部の少なくとも先端側の部分には、係止穴２４の両側縁部に対する挿入を案内するための側部用導入テーパ部３８が形成される。この側部用導入テーパ部３８は、先端側へ進むに従い爪部２２の幅中央部へ向かう傾斜部とされる。即ち、側部用導入テーパ部３８は、先細り状の傾斜部とされる。
【００２５】
上記した「位置規制用突出部４２」は、爪部２２（の挿入部３２）と平行な面を有すると共に、爪部２２よりも短いか、それよりも短いものとされる。位置規制用突出部４２の、係止穴２４へ挿入される部分の長さは、少なくとも、相手部品２３の肉厚の倍程度以上の長さとするのが好ましい。この場合、位置規制用突出部４２は、爪部２２における導入テーパ部３５の中間部の位置まで延びるものとされている。
【００２６】
位置規制用突出部４２と上記爪部２２との離隔方向（図中左右方向）の間隔は、爪部２２が係止穴２４に係止される際に、図４、図５に示すように、係止穴２４の一方の縁部によって、位置規制用突出部４２側へ弾性変形された爪部２２が、位置規制用突出部４２に干渉しない程度の大きさまたはそれよりも若干大きなものとされる。例えば、少なくとも、挿入部３２に対する係止部３３の張出量よりも大きな間隔や、或いは、挿入部３２の厚みよりも若干大きな間隔などを有するものとされる。
【００２７】
この位置規制用突出部４２を設けたことに伴って、上記した係止穴２４は、爪部２２と、後述する位置規制用突出部４２とを同時に収容可能な大きさ（奥行寸法）を有するものとされる。
【００２８】
位置規制用突出部４２の背面側には、必要に応じて、位置規制用突出部４２の変形を防止可能な補強リブ４２ａなどを設けることができる。この補強リブ４２ａは、樹脂部品２１と相手部品２３との間に介在される。この補強リブ４２ａは、相手部品２３と干渉しない程度の大きさのものとされる。或いは、補強リブ４２ａは、相手部品２３に当接して、挿入方向４１の位置規制を行わせるための挿入方向位置規制部としての機能を有するものなどとしても良い。
【００２９】
なお、特に図示しないが、位置規制用突出部４２の両側部と、一対の爪保護部３７の外側部との間には、それぞれ両者を連結する側壁部を設けるようにしても良い。
【００３０】
上記した「突出壁部４３」は、位置規制用突出部４２と平行な面を有して、位置規制用突出部４２を挿入方向４１へ案内するものとされる。また、突出壁部４３は、位置規制用突出部４２の背面を、位置規制用突出部４２と爪部２２との離隔方向へ支持するものとされる。この突出壁部４３は、位置規制用突出部４２と同じか、または、それよりも若干長く延びるものとされる。この突出壁部４３は、相手部品２３の奥側の面から上記した挿入方向４１へ向けて一体に突出される。この突出壁部４３は、その内面が係止穴２４の他方の縁部と面一になるように形成される。
【００３１】
そして、位置規制用突出部４２の基部側の部分と、上記係止穴２４の他方の縁部との間には、基部側当接部４６（図１参照）が設定される。この基部側当接部４６は、位置規制用突出部４２の長さ方向の中央部よりは基部側の部分で、且つ、係止穴２４の他方の縁部の樹脂部品２１側の部分に当接するように設けられる。
【００３２】
また、上記位置規制用突出部４２の先端部には、上記突出壁部４３と当接する先端側当接部４７（図１参照）が設定される。
【００３３】
（構成２）
上記係止穴２４の近傍に、この係止穴２４に係止された上記爪部２２の背面を支持固定可能な係止時爪支持部３１を設置する。
そして、この係止時爪支持部３１を、上記した突出壁部４３の先端側に設けるようにする。
【００３４】
（補足説明２）
ここで、上記した「係止時爪支持部３１」は、爪部２２の係止穴２４に対する係止時に、爪部２２の背面を押さえて爪部２２が動かないようにロックするロック部としての機能を有するものとされる。係止時爪支持部３１は、構造的には、樹脂部品２１や、相手部品２３や、周囲に存在する部品などに対して適宜設けることが可能である。
【００３５】
ここでは、特に、係止時爪支持部３１は、突出壁部４３の先端側から爪部２２の背面側へ向けて一体に延設された延長部４４に設けられる。この場合、係止時爪支持部３１は、係止穴２４に係止された状態で、爪部２２の先端側の背面のいずれかの部分を支持するものとされる。この場合には、特に、係止時爪支持部３１は、係止穴２４に係止された状態で、爪部２２の先端部の背面を支持するものとされる。延長部４４の背面側には、係止時爪支持部３１の変形を防止可能な補強リブ４４ａなどを設けることができる。
【００３６】
また、上記した突出壁部４３と延長部４４との境界部分には、位置規制用突出部４２の先端部を受けて停止させるための、停止面４５を形成することができる。この停止面４５を設けることにより、位置規制用突出部４２は、挿入方向４１に対する位置規制機能をも有するものとなる。
【００３７】
（構成３）
上記において、上記突出壁部４３が、上記爪部２２の先端部を、上記係止時爪支持部３１へ向けて案内する案内面４８を有するものとされる。
【００３８】
（補足説明３）
ここで、上記した「案内面４８」は、突出壁部４３の先端側の延長部４４に設けられる。この案内面４８は、延長部４４の爪部２２側の面に形成されて、突出壁部４３と係止時爪支持部３１との間を繋ぐガイド面などとされる。この場合、上記した案内面４８は、上記した停止面４５から係止時爪支持部３１へ向け、下り勾配に延びる傾斜面とされている。
【００３９】
（構成４）
上記において、図２、図３に示すように、上記相手部品２３が、係止穴２４の奥部に、上記爪部２２の周囲を包囲する枠部５１を有するものとされる。
【００４０】
（補足説明４）
ここで、上記した「枠部５１」は、相手部品２３の奥側の面における、係止穴２４の両側部から一体に突設される。上記した枠部５１は、上記した一対の爪保護部３７の外側部に沿って延びる一対の側枠部５２と、一対の側枠部５２の先端部間を横方向に連結する横枠部５３とを有する側面視Ｕ字状のものとされる。この枠部５１は、その横枠部５３の中間部に、上記した係止時爪支持部３１が一体に接続されることにより、係止時爪支持部３１を補強し得るようにしている。この枠部５１は、係止穴２４の両側面の奥行寸法とほぼ同じ厚みを有するものなどとされる。
【００４１】
（構成５）
上記において、係止穴２４の周囲に、爪部２２に対する挿入ガイド部５５が設けられる。
【００４２】
（補足説明５）
ここで、上記した「挿入ガイド部５５」は、相手部品２３の樹脂部品２１側の面で、且つ、係止穴２４の爪部２２側の縁部に設けられる。この挿入ガイド部５５は、例えば、上記した縁部に沿って突条部５６を突設し、この突条部５６の爪部２２側の側面から係止穴２４の爪部２２側の縁部に亘って形成された導入テーパ部などとされる。この導入テーパ部は、係止穴２４へ向かって下り勾配となる傾斜面などとされる。
【００４３】
＜作用＞以下、この実施例の作用について説明する。
樹脂部品２１に一体に形成された爪部２２を、図４、図５に順に示すように、相手部品２３に設けられた係止穴２４へ挿入することにより、図１に示すように、樹脂部品２１を相手部品２３に対して係止保持させることができる。
【００４４】
この際、爪部２２の係止部３３は、係止穴２４における、相手部品２３の奥側の面に係止される。
【００４５】
＜効果＞この実施例によれば、以下のような効果を得ることができる。
（作用効果１）
樹脂部品２１における、爪部２２の背面側に爪部２２から離して設けられた、爪部２２の挿入方向４１へ延びる位置規制用突出部４２によって、樹脂部品２１を、位置規制用突出部４２と挿入方向４１との離隔方向（或いは、爪部２２の面直方向、または、図１の左右方向）に対して位置規制させることが可能となる。
【００４６】
また、係止穴２４の位置規制用突出部４２側の縁部に突出壁部４３を設けることにより、位置規制用突出部４２を、突出壁部４３を介して相手部品２３に受けさせることができる。また、位置規制用突出部４２を突出壁部４３で受けることにより、位置規制用突出部４２による上記した位置規制機能を、より安定したものとすることができる。また、挿入時に、突出壁部４３で位置規制用突出部４２を案内させることができる。
【００４７】
そして、爪部２２が係止穴２４（の一方の縁部）に係止され、位置規制用突出部４２の基部側の部分（基部側当接部４６）が、係止穴２４の他方の縁部に当接され、位置規制用突出部４２の先端部（先端側当接部４７）が、突出壁部４３の先端側に当接されることにより、爪部２２は、３点支持状態となるので、係止状態での樹脂部品２１のガタ付きを大幅に小さくすることができる。そして、これに、爪部２２の背面と係止時爪支持部３１との間の支持を加えると、４点支持状態となるので、係止状態での樹脂部品２１のガタ付きを、より一層小さく抑えることができる。
【００４８】
これに対し、図６、図７の従来例に示すような、位置規制用突出部４２のない通常の一体爪の場合には、係止穴２４の両側の縁部で爪部２２の両面を支持する２点支持状態となるので、係止状態での樹脂部品２１のガタ付きが大きいものとなる。
【００４９】
しかも、この実施例の場合、挿入方向４１に対し、基部側当接部４６と先端側当接部４７との間に長い距離を有し、または、基部側当接部４６と係止時爪支持部３１との間に更に長い距離を有して、爪部２２を保持することができるので、上記した従来例のように、相手部品２３の厚み分の短い距離でしか爪部を保持できないものと比べて、格段に強固に爪部２２を保持して、図中左右方向のガタ付きを抑えることができる。
【００５０】
（作用効果２）
上記した爪部２２が係止穴２４へ挿入係止された時に、係止穴２４の近傍に設置した係止時爪支持部３１によって、爪部２２の背面を支持固定させることにより、係止穴２４に係止された爪部２２を動かないようにロックすることができる。これによって、爪部２２（や爪部２２の係止部３３）を小さくしても大きな係止力を得ることが可能となる。
【００５１】
また、係止時爪支持部３１が爪部２２を動かないようにロックすることで、係止時や係止後における爪部２２の変形が抑えられるようになるので、その分、爪部２２が塑性変形を起こし難くなり、爪部２２の塑性変形による係止力の低下を防止して、繰返し使用による耐力や安定性を向上することができる。しかも、係止時爪支持部３１が爪部２２に作用する応力を緩和するので、爪部２２を破損し難くすることができる。
【００５２】
更に、上記したように爪部２２（の係止部３３）を小さくすると、係止穴２４に係止する際の爪部２２の変形量も小さくなるので、爪部２２を、より塑性変形し難くすることができる。
【００５３】
しかも、爪部２２は、上記したように、基部側が樹脂部品２１と連続されると共に、先端側がフリーとなった、長い片持梁とされているので、例えば、図６、図７の従来例のように、先端側が樹脂部品２１と連続されると共に、基部側がフリーとなった、短い片持梁７と比べて、弾性変形能力が大きく、有利な構造を備えている。
【００５４】
以上により、一体爪構造（一体型の樹脂爪構造）であっても、繰返し使用に対する耐力や安定性をこれまでよりも格段に向上しつつ、これまでと同様か、または、それ以上の高い係止力を得ることができるようになり、上記した繰返し使用に対する安定性と係止力とを高度に両立することが可能となる。更に、爪部２２の小型化や薄型化までも得ることができる。
【００５５】
以て、一体型の樹脂爪構造を、金属クリップや樹脂クリップなどの別部品を使った別体爪構造、ほぼ完全に代替することが可能となる。即ち、これまで別体爪構造にしていた部分を、全て一体爪構造に置き換えることができるようになり、製品のコストダウンなどを図ることが可能となる。
【００５６】
そして、上記した突出壁部４３の先端側に係止時爪支持部３１を設けることにより、爪部２２の（フリーとなっている）先端側の背面を相手部品２３によって直接支持固定させて、爪部２２を確実にロックすることが可能となる。また、係止時爪支持部３１を突出壁部４３の先端側に設けることにより、位置規制などのために設けられた突出壁部４３を利用して係止時爪支持部３１を設置することができる。
【００５７】
（作用効果３）
突出壁部４３に案内面４８を設けることにより、係止穴２４に対して爪部２２を挿入する際に、爪部２２の先端部を、案内面４８に沿って、係止時爪支持部３１へ向けスムーズに案内することができると共に、爪部２２の先端部を係止時爪支持部３１によって確実に支持させることができる。
【００５８】
（作用効果４）
相手部品２３が、係止穴２４の奥側に、爪部２２の周囲を包囲する枠部５１を有することにより、枠部５１によって爪部２２を保護することができると共に、枠部５１によって挿入時に爪部２２の周囲の部分（爪保護部３７）を案内することができる。また、枠部５１に対して上記した係止時爪支持部３１を接続することにより、係止時爪支持部３１による爪部２２の押さえをより強固なものとすることができる。
【００５９】
（作用効果５）
相手部品２３が、係止穴２４の周囲（入口部）に、爪部２２に対する挿入ガイド部５５を有することにより、挿入ガイド部５５が爪部２２を案内して、爪部２２を確実に係止穴２４へ挿入させることができる。これにより、爪部２２の側に挿入ガイド部５５に相当する傾斜面などを設ける必要がなくなるので、その分、爪部２２を薄肉化することができる。
【００６０】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【産業上の利用可能性】
【００６１】
自動車用の樹脂部品に限らず、各種の分野に用いられる樹脂部品に対して広く適用することが可能である。
【符号の説明】
【００６２】
２１  樹脂部品
２２  爪部
２３  相手部品
２４  係止穴
３１  係止時爪支持部
４２  位置規制用突出部
４３  突出壁部
４８  案内面
５１  枠部
【図１】
2014125093.tif 000003
【図２】
2014125093.tif 000004
【図３】
2014125093.tif 000005
【図４】
2014125093.tif 000006
【図５】
2014125093.tif 000007
【図６】
2014125093.tif 000008
【図７】
2014125093.tif 000009